(57)【特許請求の範囲】
【請求項１】
求職者より、該求職者を識別する識別情報の入力を受け付ける受付部と、
前記識別情報と、複数の求人情報に含まれる複数の就業地域のうち該求職者が希望する就業地域である希望地域情報とを対応付けて記憶する第一記憶部から、前記受付部が受け付けた該識別情報に対応する該希望地域情報を取得する取得部と、
前記複数の就業地域のうち検索対象とする就業地域を示す地域情報を記憶する第二記憶部を参照し、前記取得された前記希望地域情報が示す地域は、該地域情報が示す地域に含まれるかを判定する判定部と、
前記判定部による判定結果が肯定的な場合に、前記複数の求人情報に対する検索条件として前記複数の就業地域のいずれかの指定を受付ける項目に、前記希望地域情報に関する情報を設定した希望条件入力画面を生成すると共に、該生成した該希望条件入力画面を表示装置へ出力する画面出力部と
を有することを特徴とする検索支援装置。
【請求項２】
前記画面出力部は、前記判定部による判定結果が否定的な場合は、前記項目を空欄とする又は前記項目に所定の記号を設定することを特徴とする請求項１記載の検索支援装置。
【請求項３】
前記画面出力部は、前記第二記憶部が記憶する前記地域情報に基づいて、前記項目に設定可能な地域の一覧を前記表示装置へ出力することを特徴とする請求項１又は２記載の検索支援装置。
【請求項４】
前記第一記憶部は、第一の区分に基づく地域を示す前記希望地域情報を記憶し、
前記第二記憶部は、前記第一の区分に基づく一以上の地域を含む第二の区分に基づく地域を示す前記地域情報を一以上記憶し、
前記画面出力部は、前記判定部による判定結果が肯定的な場合は、前記希望地域情報が示す前記第一の区分に基づく地域を含む前記第二の区分の地域を示す前記地域情報を前記項目に設定することを特徴とする請求項１乃至請求項３のいずれか一項に記載の検索支援装置。
【請求項５】
前記画面出力部は、前記希望地域情報が示す前記第一の区分に基づく地域と、当該地域を含む前記第二の区分の地域とが一致しない場合は、前記項目に関する所定のメッセージを前記表示装置に出力することを特徴とする請求項４記載の検索支援装置。
【請求項６】
コンピュータが、
求職者より、該求職者を識別する識別情報の入力を受け付ける受付手順と、
前記識別情報と、複数の求人情報に含まれる複数の就業地域のうち該求職者が希望する就業地域である希望地域情報とを対応付けて記憶する第一記憶部から、前記受付手順において受け付けた該識別情報に対応する該希望地域情報を取得する取得手順と、
前記複数の就業地域のうち検索対象とする就業地域を示す地域情報を記憶する第二記憶部を参照し、前記取得された前記希望地域情報が示す地域は、該地域情報が示す地域に含まれるかを判定する判定手順と、
前記判定手順による判定結果が肯定的な場合に、前記複数の求人情報に対する検索条件として前記複数の就業地域のいずれかの指定を受付ける項目に、前記希望地域情報に関する情報を設定した希望条件入力画面を生成すると共に、該生成した該希望条件入力画面を表示装置へ出力する画面出力手順と
を実行する検索支援方法。
【請求項７】
コンピュータに、
求職者より、該求職者を識別する識別情報の入力を受け付ける受付手順と、
前記識別情報と、複数の求人情報に含まれる複数の就業地域のうち該求職者が希望する就業地域である希望地域情報とを対応付けて記憶する第一記憶部から、前記受付手順において受け付けた該識別情報に対応する該希望地域情報を取得する取得手順と、
前記複数の就業地域のうち検索対象とする就業地域を示す地域情報を記憶する第二記憶部を参照し、前記取得された前記希望地域情報が示す地域は、該地域情報が示す地域に含まれるかを判定する判定手順と、
前記判定手順による判定結果が肯定的な場合に、前記複数の求人情報に対する検索条件として前記複数の就業地域のいずれかの指定を受付ける項目に、前記希望地域情報に関する情報を設定した希望条件入力画面を生成すると共に、該生成した該希望条件入力画面を表示装置へ出力する画面出力手順と
を実行させるためのプログラム。
【発明の詳細な説明】
【技術分野】
【０００１】
本発明は、検索支援装置、検索支援方法、及びプログラムに関し、特に求人情報の検索を支援する検索支援装置、検索支援方法、及びプログラムに関する。
【背景技術】
【０００２】
ハローワークの利用者であり、職を探している人（求職者）は、まず利用開始時に自身のプロフィールや、希望条件（就業場所、就業時間、雇用形態等）を記入した帳票（求職票）を提出する。ハローワークの職員は、求職票に記載された内容をデータベースに登録する。
【０００３】
従来、斯かるデータベースに登録された情報を利用して求職活動を支援する技術が存在する（例えば、特許文献１）。
【０００４】
一方、ハローワークの利用者であり、働いてくれる人を探している人や法人（求人者）は、就業条件を記載した帳票（求人票）を提出する。そして、ハローワークの職員は、求人票に記載された内容を他のデータベースに登録する。なお、求人票の提出は、ネットワークを介して、電子的に行われることもある。また、就業条件（就業内容、就業場所、雇用形態、賃金等）と求人者の情報（社名等）とを含む情報は、求人情報と称される。
【０００５】
ここで、求職者自身が、ハローワーク等に設置された端末を操作して、求人情報を検索するためのコンピュータシステムも存在する。この場合、求職者は、端末に表示される希望条件の入力画面（以下、単に「条件入力画面」という。）を介して、自らの希望条件を検索条件として入力する。当該コンピュータシステムは、入力された検索条件に合致する求人情報を端末に表示させる。
【先行技術文献】
【特許文献】
【０００６】
【特許文献１】特開平１１−１７５５９４号公報
【発明の概要】
【発明が解決しようとする課題】
【０００７】
ところで、コンピュータが、求職票に基づいて予めデータベースに登録されている希望条件を、上記条件入力画面における検索条件に反映させれば、利用者の操作負担を軽減することができる。利用者は、求職票に記載した事項と同じ希望条件を、検索条件として改めて上記条件入力画面に入力する必要が無くなるからである。
【０００８】
しかしながら、各ハローワークは、ハローワークの所在地域に密着した情報を提供するために、検索可能な求人情報の地域を限定している。例えば、川崎市のハローワークでは、沖縄や北海道の求人情報を検索対象に含まないよう、設定することができる。なお、検索対象とする地域範囲は、単純にハローワークが位置する行政区画及びその近隣の地域に限られず、交通の便等も考慮してハローワークの職員の裁量によって定められる。例えば、川崎市のハローワークでは、アクアラインの存在を考慮して、木更津付近の求人情報を検索対象とする地域範囲に含めることも考えられる。
【０００９】
以上のような状況において、求職票に基づいて予めデータベースに登録されている情報を、条件入力画面の希望地域の項目にそのまま反映させてしまうと、検索結果が０件になってしまう可能性が有る。求職票においては、記載可能な希望地域に制限は無いからである。具体的には、川崎のハローワークが、たとえば北海道を検索対象とする地域範囲に含めない運用を行っていた場合を考える。求職者は、川崎のハローワークにおいて、希望地域として北海道が記載された求職票を提出することも可能である。したがって、求職票に記載された希望地域「北海道」が、当該ハローワークにおいて検索可能な地域に含まれないといった事態が発生しうる。
【００１０】
また、求職者が北海道のハローワークで、希望地域を「北海道」と登録した場合を考える。その後、求職者が川崎のハローワークで求人情報の検索を行った場合に、希望地域の変更を行わない限り、希望地域「北海道」に該当する検索結果は、０件となるであろう。
【００１１】
この場合、利用者は、条件入力画面においていずれの条件を緩和すれば求人情報を得ることができるかについて試行錯誤を強いられる可能性が有る。例えば、検索結果０件となってしまった原因となる検索条件は、賃金に関する条件であったのか、就業時間であったのか、就業場所であったのかがができない。そこで、求職者は、条件入力画面上の種々の検索条件を入力し直し、数回の検索を繰り返し行う。そして、求職者は、希望地域が適切でないことに気付く可能性がある。
【００１２】
以上のように、各ハローワークにて独自に設定される検索対象の範囲に起因して、求人情報の検索結果が０件となる場合に、緩和すべき検索条件が求職者にとって把握しにくいという問題があった。
【００１３】
本発明は、上記の点に鑑みてなされたものであって、求人情報に関する希望条件の入力画面の利便性を向上させることのできる検索支援装置、検索支援方法、及びプログラムの提供を目的とする。
【課題を解決するための手段】
【００１４】
そこで上記課題を解決するため、検索支援装置は、求職者より、該求職者を識別する識別情報の入力を受け付ける受付部と、前記識別情報と、複数の求人情報に含まれる複数の就業地域のうち該求職者が希望する就業地域である希望地域情報とを対応付けて記憶する第一記憶部から、前記受付部が受け付けた該識別情報に対応する該希望地域情報を取得する取得部と、前記複数の就業地域のうち検索対象とする就業地域を示す地域情報を記憶する第二記憶部を参照し、前記取得された前記希望地域情報が示す地域は、該地域情報が示す地域に含まれるかを判定する判定部と、前記判定部による判定結果が肯定的な場合に、前記複数の求人情報に対する検索条件として前記複数の就業地域のいずれかの指定を受付ける項目に、前記希望地域情報に関する情報を設定した該希望条件入力画面を生成すると共に、該生成した該希望条件入力画面を表示装置へ出力する画面出力部とを有する。
【発明の効果】
【００１５】
開示された技術によれば求人情報に関する希望条件の入力画面の利便性を向上させることができる。
【図面の簡単な説明】
【００１６】
【図１】本発明の実施の形態における求人情報検索支援システムの構成例を示す図である。
【図２】本発明の実施の形態における利用者端末のハードウェア構成例を示す図である。
【図３】本発明の実施の形態における利用者端末及び情報管理サーバの機能構成例を示す図である。
【図４】希望条件入力画面の表示処理の処理手順を説明するためのフローチャートである。
【図５】年齢・求職番号入力画面の表示例を示す図である。
【図６】希望情報記憶部の構成例を示す図である。
【図７】対象地域記憶部の構成例を示す図である。
【図８】希望条件入力画面の表示例を示す図である。
【図９】希望情報に指定された住所コードが設定地域に含まれない場合の希望条件入力画面の表示例を示す図である。
【図１０】就業場所選択画面の表示例を示す図である。
【発明を実施するための形態】
【００１７】
以下、図面に基づいて本発明の実施の形態を説明する。図１は、本発明の実施の形態における求人情報検索支援システムの構成例を示す図である。求人情報検索支援システム１は、ハローワーク（公共職業安定所）等において、求職者による求人情報の検索を支援するためのコンピュータシステムである。同図において、求人情報検索支援システム１は、一台以上の利用者端末１０と情報管理サーバ２０とを含む。各利用者端末１０と情報管理サーバ２０とは、ＬＡＮ（Local Area Network）又はインターネット等のネットワーク３０（有線又は無線の別は問わない。）を介して通信可能とされている。
【００１８】
利用者端末１０は、求職者が利用する端末（コンピュータ）である。本実施の形態において、求職者とは、求人情報を検索する者をいう。情報管理サーバ２０は、求職者による求人情報の検索を支援するための情報を管理するコンピュータである。
【００１９】
図２は、本発明の実施の形態における利用者端末のハードウェア構成例を示す図である。図２の利用者端末１０は、それぞれバスBで相互に接続されているドライブ装置１００と、補助記憶装置１０２と、メモリ装置１０３と、ＣＰＵ１０４と、インタフェース装置１０５と、表示装置１０６と、入力装置１０７とを有する。
【００２０】
利用者端末１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００２１】
メモリ装置１０３は、プログラムの起動指示があった場合に、補助記憶装置１０２からプログラムを読み出して格納する。ＣＰＵ１０４は、メモリ装置１０３に格納されたプログラムに従って利用者端末１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等であり、様々な操作指示を入力させるために用いられる。
【００２２】
なお、情報管理サーバ２０も、図２に示されるハードウェアと同様のハードウェアを備えていればよい。但し、表示装置１０６及び入力装置１０７は必ずしも必要ではない。
【００２３】
図３は、本発明の実施の形態における利用者端末及び情報管理サーバの機能構成例を示す図である。なお、利用者端末１０は、検索支援装置の一例である。また、情報管理サーバ２０が、図３における利用者端末１０の各機能部を備え、検索支援装置として動作するとしてもよい。この場合は、利用者端末１０は、求職者からの各種入力を受付ける入力部と、情報管理サーバ２０と情報を通信する通信部と、情報管理サーバから受信した情報を表示する表示部とを有する。さらには、利用者端末１０と情報管理サーバ２０とを備える求人情報検索システム１が、検索支援装置であっても良い。
【００２４】
同図において、情報管理サーバ２０は、希望情報記憶部２１、対象地域記憶部２２、及び求人情報記憶部２３等を有する。
【００２５】
希望情報記憶部２１は、第一記憶部の一例である。希望情報記憶部２１は、求職者ごとに、求職者の属性情報及び希望情報等を記憶装置を用いて記憶する。希望情報は、求人情報に関する希望条件を示す情報をいう。例えば、就業形態、雇用形態、雇用期間、職種、就業場所、賃金、休日、就業時間等に関する条件が希望情報に含まれる。希望情報は、例えば、求職者によって提出される求職票に基づいて、ハローワークの職員等によって希望情報記憶部２１に登録される。求職票は、希望情報をマークシート等によって記入可能な帳票をいう。一般的に、求職者は、ハローワークの利用を開始する際に求職票を提出する。したがって、求職者が求人情報の検索を実行する際には、求職票に記入された希望情報は、既に希望情報記憶部２１に登録されている。
【００２６】
なお、求職者の属性情報には、求職者の識別情報が含まれる。本実施の形態では、当該識別情報として求職番号を用いる。求職番号は、例えば、求職者が求職票をハローワークに提出した際に、当該求職者に対して割り当てられ、当該求職者に通知される。但し、例えば、氏名と電話番号との組み合わせ等、各求職者を一意に識別できる情報を各求職者の識別情報としてもよい。
【００２７】
対象地域記憶部２２は、第二記憶部の一例である。対象地域記憶部２２は、求人情報検索支援システム１を利用するハローワークにおいて検索可能な求人情報の地域を示す情報（対象地域情報）を記憶装置を用いて記憶する。すなわち、求人情報検索支援システム１において検索可能な求人情報は、対象地域記憶部２２に記録された設定情報に基づいて限定される。求人情報検索支援システム１は、求人情報検索支援システム１を利用するハローワークが所在する地域に密着したコンピュータシステムであるという特性を有する。斯かる特性に鑑みて、求人情報の検索対象を適切な範囲に限定するために対象地域記憶部２２が設けられている。なお、対象地域記憶部２２の内容は、例えば、ハローワークの職員の裁量によって設定可能とされている。
【００２８】
求人情報記憶部２３は、記憶装置を用いて求人情報を記憶する。求人情報記憶部２３は、求人情報の発生又は消滅等に応じて随時更新される。なお、求人情報記憶部２３は、就業条件（就業内容、就業場所、雇用形態、賃金等）と求人者の情報（社名等）とを含む情報とを記憶する。つまり、後述の求人情報検索が実行された場合に、求人情報検索支援システム１は、求人情報記憶部２３を参照し、検索条件と合致する求人情報を検索結果として、出力する。
【００２９】
なお、希望情報記憶部２１、対象地域記憶部２２、及び求人情報記憶部２３は、必ずしも一台の情報管理サーバ２０が有していなくてもよい。各記憶部は、複数のコンピュータによって分散されていてもよい。特に、求人情報記憶部２３は、全国的かつ一元的に実装されてもよい。この場合、求人情報記憶部２３には、全国の求人情報が登録される。
【００３０】
一方、利用者端末１０は、受付部１１、希望情報取得部１２、判定部１３、画面出力部１４、及び求人情報検索部１５等を有する。これら各部は、利用端末１０にインストールされたプログラムが、ＣＰＵ１０４に実行させる処理により実現される。
【００３１】
受付部１１は、利用者端末１０のユーザ（求職者）より、求職番号等の入力を受け付ける。希望情報取得部１２は、受付部１１が受け付けた求職番号に対応する希望情報を希望情報記憶部２１より取得する。
【００３２】
判定部１３は、希望情報取得部１２によって取得された希望情報において指定されている就業場所が、対象地域記憶部２２の記憶する設定情報が示す地域に含まれるかを判定する。希望地域が当該設定情報の示す地域に含まれるとは、当該希望地域と当該地域とが一致する場合、又は当該地域が当該希望地域及び他の地域を含む場合をいう。
【００３３】
画面出力部１４は、求人情報の希望条件入力画面を表示装置１０６に表示させる。希望条件入力画面には、求人情報に対する希望条件を構成する項目ごとに、値の入力が可能とされている。画面出力部１４は、希望情報取得部１２によって取得された希望情報を各項目に反映させて希望条件入力画面を表示させる。これにより、ユーザは、求職票に記入した希望情報を改めて希望条件入力画面に入力する手間を省くことができる。また、希望条件を構成する項目の一つとして、希望する就業場所を入力させるための項目が有る。画面出力部１４は、判定部１３による判定結果等に基づいて、当該項目の表示内容を工夫することにより、希望条件入力画面の利便性を向上させる。
【００３４】
求人情報検索部１５は、希望条件入力画面に入力された希望条件に基づいて、求人情報記憶部２３より求人情報を検索し、検索結果を表示装置１０６に表示させる。
【００３５】
以下、求人情報検索支援システム１の処理手順について説明する。
【００３６】
図４は、希望条件入力画面の表示処理の処理手順を説明するためのフローチャートである。
【００３７】
利用者端末１０において、例えば、ユーザ（求職者）によって求人情報の検索要求が入力されると、受付部１１は、年齢・求職番号入力画面を表示装置１０６に表示させる（Ｓ１０１）。但し、受付部１１は、利用者端末１０の起動時において自動的に年齢・求職番号入力画面を表示させ、当該画面に対する入力を待機していてもよい。なお、当該画面は、求職番号の入力のみを促す画面であっても良い。
【００３８】
図５は、年齢・求職番号入力画面の表示例を示す図である。同図において、年齢・求職番号入力画面５１０は、年齢入力領域５１１、求職番号入力領域５１２、テンキー領域５１３、及び検索ボタン５１４等を有する。
【００３９】
ユーザは、年齢入力領域５１１において自らの年齢を入力し、求職番号入力領域５１２において求職票の提出に応じて通知されている求職番号を入力する。年齢及び求職番号の入力には、テンキー領域５１３に表示されている仮想的なテンキーを利用することができる。既に提出済みの求職票に記入した条件によって求人情報を検索したい場合、ユーザは、年齢及び求職番号の入力後、検索ボタン５１４を押下する。
【００４０】
受付部１１は、検索ボタン５１４の押下を検知すると（Ｓ１０２）、年齢・求職番号入力画面５１０に求職番号は入力されているか否かを判定する（Ｓ１０３）。求職番号が入力されていない場合（Ｓ１０３でＮｏ）、受付部１１は、年齢・求職番号入力画面５１０への再入力を要求する。
【００４１】
求職番号が入力されている場合（Ｓ１０３でＹｅｓ）、希望情報取得部１２は、当該求職番号に対する希望情報を希望情報記憶部２１より取得する（Ｓ１０４）。
【００４２】
図６は、希望情報記憶部２１の構成例を示す図である。同図において、希望情報記憶部２１は、求職番号ごとに、求職者名及び希望情報等を記憶する。希望情報の一項目である就業場所には、希望する就業場所の住所コードが記録されている。住所コードは、所定の単位の区分に基づく各行政区画（地域）を識別可能なコードである。すなわち、求人票では、住所コードによって希望する就業場所が指定される。また、希望する就業場所を示す情報を希望地域情報と称する。例えば、希望地域情報とは、希望情報記憶部２１の項目「就業場所住所コード」に格納されている情報である。
【００４３】
該当する希望情報の取得に失敗した場合（Ｓ１０５でＮｏ）、受付部１１は、年齢・求職番号入力画面５１０への再入力を要求する。この場合は、入力された求職番号に対応する情報が希望情報記憶部２１に記録されていない場合である。
【００４４】
該当する希望情報の取得に成功した場合（Ｓ１０５でＹｅｓ）、判定部１３は、取得された希望情報に含まれる住所コードが、対象地域記憶部２２に登録されている地域に含まれるか否かを判定する（Ｓ１０６）。
【００４５】
図７は、対象地域記憶部の構成例を示す図である。同図において、対象地域記憶部２２には、当該ハローワークにおける任意の区分に基づいて定義された地域（以下、「設定地域」という。）ごとに、設定地域ＩＤ、設定地域名称、ｆｒｏｍ、及びｔｏ等のデータ項目の値が設定（登録）されている。設定地域ＩＤは、各設定地域を識別するＩＤである。設定地域名称は、設定地域に付与された名称である。ｆｒｏｍ及びｔｏは、住所コードとの関係において、設定地域の範囲を示すデータ項目である。具体的には、ｆｒｏｍに指定された値以上であってｔｏに指定された値以下の住所コードに係る地域は、当該設定地域に含まれる。ｆｒｏｍとｔｏとが同じ値であれば、当該設定地域は、一つの住所コードに対応する地域であることを示す。
【００４６】
このように、対象地域記憶部２２では、住所コードに基づいて各設定地域が区分されている。すなわち、設定地域に関する区分は、住所コードに基づいて区分される一以上の地域を含む地域を区分であるといえる。
【００４７】
したがって、ステップＳ１０６における判定は、希望情報に含まれる住所コードが、対象地域記憶部２２に登録されているいずれかの設定地域のｆｒｏｍ及びｔｏの範囲に含まれるか否かの判定に相当する。
【００４８】
判定部１３による判定結果が肯定的な場合、すなわち、希望情報に含まれる住所コードを含む設定地域が対象地域記憶部２２に登録されている場合（Ｓ１０６でＹｅｓ）、画面出力部１４は、当該設定地域の設定地域名所が就業場所の入力項目に設定された希望条件入力画面を生成する（Ｓ１０７）。また、希望条件入力画面における就業場所以外の入力項目に対しても、希望情報に含まれている値が設定される。
【００４９】
続いて、画面出力部１４は、希望情報に含まれる住所コードと、当該住所コードを含む設定地域とが一致するか否かを判定する（Ｓ１０８）。ここで、一致するとは、完全一致をいう。すなわち、当該設定地域の範囲が当該住所コードのみを含む場合である。当該住所コードと当該設定地域とが一致しない場合（Ｓ１０８でＮｏ）、画面出力部１４は、希望条件入力画面の就業場所の入力項目に設定された地域は希望情報に指定された就業場所を含む地域であることを示すメッセージを当該入力項目に関連付けて希望条件入力画面に追加する（Ｓ１０９）。つまり、当該メッセージを表示することで、求職者が希望地域とは異なる地域が表示されたことで混乱することを防ぐ。また、検索支援装置は、求職者の希望地域を含むより広い範囲での検索を行うことができる。つまり、求職者は、希望地域の近い範囲かつより広い範囲での求人情報を得ることができる。
【００５０】
ステップＳ１０８でＹｅｓの場合、又はステップＳ１０９に続いて、画面出力部１４は、希望条件入力画面を表示装置１０６に表示させる（Ｓ１１１）。
【００５１】
図８は、希望条件入力画面の表示例を示す図である。同図に示されるように、希望条件入力画面５２０は、求人情報に対する希望条件に関する入力項目を有する。同図は、図６における１行目の求職者（キュウショク  タロウ）に関する表示例である。当該求職者の就業場所住所コードの値は「００２３０」である。一方、対象地域記憶部２２（図７）において、「００２３０」を含む設定地域の設定地域名称は「杉並区・中野区」である。したがって、就業場所入力項目５２１には、「杉並区・中野区」がステップＳ１０７において自動的に設定されている。
【００５２】
なお、就業場所入力項目５２１には「※」印が付与されている。また、希望条件入力画面５２０には、当該印を介して就業場所入力項目５２１に関連付けられた、メッセージ５２２が表示されている。メッセージ５２２では、就業場所は求職票に記入された住所コードを含む地域であることが説明されている。当該印及びメッセージ５２２は、ステップＳ１０９において付与されたものである。
【００５３】
メッセージ５２２は、必ずしも表示されなくてもよい。但し、メッセージ５２２を表示させることにより、ユーザが求職票で指定した住所コードと完全には一致しない地域が自動的に就業場所入力項目５２１に表示された場合に、ユーザの混乱を緩和又は解消することができる。通常、ユーザは、求職票に指定可能な住所コードと、求人情報検索支援システム１において設定されている設定地域との関係に関する知識を有さないものと考えられる。そのような状況において、当該住所コードに完全に一致しない地域名称が表示されると、ユーザは、提出済みの求職票の記入を誤ったのか等の疑念を持つ可能性もある。そのようなユーザが、メッセージ５２２を参照することで、斯かる疑念等は解消されることが期待できる。なお、メッセージの内容は、ユーザの疑念又は疑問等を解消することが可能なものであれば、所定のものに限定されない。
【００５４】
一方、判定部１３による判定結果が否定的な場合、すなわち、希望情報に指定された住所コードを含む設定地域が対象地域記憶部２２に登録されていない場合（Ｓ１０６でＮｏ）、画面出力部１４は、就業場所入力項目５２１が空欄とされた希望条件入力画面５２０を生成する（Ｓ１１０）。
【００５５】
続いて、画面出力部１４は、図９に示されるような希望条件入力画面５２０を表示させる（Ｓ１１１）。
【００５６】
図９は、希望情報に指定された住所コードが設定地域に含まれない場合の希望条件入力画面の表示例を示す図である。同図に示される希望条件入力画面５２０の就業場所入力項目５２１は空欄とされている。就業場所入力項目５２１が、空欄とされることにより、ユーザは、自らが求職票に記入した住所コードに係る地域は、当該ハローワークでは検索可能な地域ではないことを認識することができる。当該認識を容易化するために、当該ハローワークでは検索可能な地域ではないことを示すメッセージを希望条件入力画面５２０に表示させるようにしてもよい。また、空欄ではなく、「−」（ハイフン）等、該当する地域が無いことが容易に認識可能な所定の記号（文字も含む）を就業場所入力項目５２１に設定するようにしてもよい。
【００５７】
なお、ユーザは、就業場所ボタン５２１ｂを押下することにより、設定地域の一覧の中から就業場所を選択することができる。すなわち、就業場所ボタン５２１ｂの押下に応じ、画面出力部１４は、対象地域記憶部２２に基づいて就業場所選択画面を表示装置１０６に表示させる。
【００５８】
ここで、各ハローワークは、地域的に検索範囲を限定するが、前述の通り、求人情報記憶部２３は、全国的に一元管理される場合もある。したがって、求人票にて希望した希望地域が、検索が実行された利用者端末を備えるハローワークの検索範囲に含まれなかった場合でも、求人情報記憶部２３には、希望地域の求人情報が含まれている可能性もある。しかし、ハローワークは地域に密着した求人情報をハローワーク職員が斡旋する特性上、当該ハローワークの職員が斡旋できる範囲ではないことを求職者に認識してもらった上で、求人情報の閲覧を許可することが望ましい。
【００５９】
よって、求人票にて希望した希望地域が、検索が実行された利用者端末を備えるハローワークの検索範囲に含まれなかった場合は、画面出力部１４は、上述の処理によって、就業場所入力項目５２１を空欄等する。そして、画面出力部１４は、当該ハローワークの検索範囲外であるが、全国検索を行えば求人情報の閲覧のみは可能であるという主旨のメッセージを表示することとしても良い。この場合は、希望条件入力画面５２０は、さらに求職者が「全国検索」の実行を入力するためのボタンを有することとしても良い。そして、利用者は、メッセージを確認したうえで、再度「全国検索」の実行を指示することもできる。
【００６０】
図１０は、就業場所選択画面の表示例を示す図である。同図に示されるように、就業場所選択画面５３０には、選択可能な就業場所ごとにボタンが配置されている。各ボタンは、画面出力部１４が、対象地域記憶部２２に登録されている設定地域ごとに就業場所選択画面５３０に配置したものである。すなわち、各ボタンに表示されている文字列は、設定地域名称である。したがって、ユーザは、当該ハローワークにおいて選択可能な設定地域（就業場所）の範囲内において、自らの希望に近い地域を選択することができる。換言すれば、当該ハローワークの対象外の地域が希望条件として設定されることを防止することができる。
【００６１】
就業場所選択画面５３０において、いずれかの就業場所のボタンが選択されると、画面出力部１４は、選択されたボタンに係る設定地域名称を希望条件入力画面５２０の就業場所入力項目５２１に反映させる。
【００６２】
希望条件入力画面５２０において検索ボタン５２２が押下されると、求人情報検索部１５は、希望条件入力画面５２０に入力された希望条件に合致する求人情報を求人情報記憶部２３より検索し、検索結果を表示装置１０６に表示させる。
【００６３】
上述したように、本実施の形態によれば、求職票に記入された住所コード又は当該住所コードが示す地域名称がそのまま希望条件入力画面５２０の就業場所入力項目５２１には設定されず、当該住所コードが設定地域に含まれるか否かが判定される。当該住所コードが設定地域に含まれていれば、当該設定地域の名称が就業場所入力項目５２１に設定される。したがって、ユーザが利用するハローワークにおいて検索対象とされていない地域に関する検索が実行されることが回避される。その結果、求職票に記入された就業場所がそのまま就業場所入力項目５２１に設定された場合に生じうる試行錯誤をユーザが強いられる可能性を低減することができる。したがって、求人情報に関する希望条件の入力画面の利便性を向上させることができる。
【００６４】
なお、本実施の形態における、受付部１１、希望情報取得部１２、判定部１３、画面出力部１４、及び求人情報検索部１５等は、情報管理サーバ２０において実現されてもよい。このような形態の典型的な例として、求人情報検索支援システム１をＷｅｂシステムとして構築する例が挙がられる。この場合、利用者端末１はＷｅｂブラウザに相当する機能を有していればよい。
【００６５】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００６６】
１            求人情報検索支援システム
１０          利用者端末
１１          受付部
１２          希望情報取得部
１３          判定部
１４          画面出力部
１５          求人情報検索部
２０          情報管理サーバ
２１          希望情報記憶部
２２          対象地域記憶部
２３          求人情報記憶部
３０          ネットワーク
１００        ドライブ装置
１０１        記録媒体
１０２        補助記憶装置
１０３        メモリ装置
１０４        ＣＰＵ
１０５        インタフェース装置
１０６        表示装置
１０７        入力装置
Ｂ            バス
【図１】
0005549365.tif 000002
【図２】
0005549365.tif 000003
【図３】
0005549365.tif 000004
【図４】
0005549365.tif 000005
【図５】
0005549365.tif 000006
【図６】
0005549365.tif 000007
【図７】
0005549365.tif 000008
【図８】
0005549365.tif 000009
【図９】
0005549365.tif 000010
【図１０】
0005549365.tif 000011